(57)【要約】【課題】  網部内に取り込んだ魚が水流を受けた網から逃げ出しにくい玉網を提供する。【解決手段】  開口を有する袋状の網体(10B)と、その網体(10B)の開口を保持する枠体(20)と、釣り人が握るための取っ手(40)と、その取っ手(40)と前記の枠体(20)とを接続する接続具(30)と、を備える。網体(10B)は、その網体(10B)の開口に対して略直角をなすように開口から連続する枠体近傍部(11)と、その枠体近傍部(11)から開口と反対方向に向かって開口と平行な平面の面積を絞る形状をなす傾斜部(12)と、その傾斜部(12)から開口と反対側を閉塞する底部(14)とを備える。その底部(14)における長手方向と前記の取っ手(40)の長手方向との関係が、少なくとも直角および平行の二つのポジションとして枠体(20)へ固定可能であるように形成する。【選択図】  図１０
2015065847.tif 000002
【特許請求の範囲】
【請求項１】
開口を有する袋状の網体と、  その網体の開口を保持する枠体と、  釣り人が握るための取っ手と、  その取っ手と前記の枠体とを接続する接続具と、を備える玉網であって、
前記の網体は、その網体の開口に対して略直角をなすように開口から連続する枠体近傍部と、
その枠体近傍部から開口と反対方向に向かって開口と平行な平面の面積を絞る形状をなす傾斜部と、
その傾斜部から開口と反対側を閉塞する底部とを備え、
その底部における長手方向と前記の取っ手の長手方向との関係が、少なくとも直角および平行の二つのポジションとして枠体へ固定可能であるように形成した玉網。
【請求項２】
前記の底部およびその底部付近を形成する網目の開口面積は、枠体近傍部を形成する網目の開口面積よりも小さく形成した請求項１に記載の玉網。
【請求項３】
前記の枠体が囲う平面に対し、前記の枠体近傍部における前記の平面と平行な断面を想定した場合に、その断面が前記の平面よりも大きくなるように形成すること請求項１または請求項２のいずれかに記載の玉網。
【請求項４】
前記の枠体近傍部は、底部およびその底部付近よりも変形しにくい素材にて形成した請求項１から請求項３のいずれかに記載の玉網。
【発明の詳細な説明】
【技術分野】
【０００１】
本発明は、釣り上げた魚を他へ移す際に用いる玉網に関する。
【背景技術】
【０００２】
魚釣りで使用される標準的な玉網は、魚を取り込むための網部と、その網部の開口部に沿って止着される枠部と、その枠部から延びて手で把持するための柄部とを備えている。前記の網部は、糸状の線材、例えば合成樹脂や木綿等の柔軟な糸を編み込むことにより、前記開口部と、その開口部とは反対側に閉じられた底面とを有することで、略有底円筒状に形成される（例えば、特許文献１参照）。
【０００３】
鮎の友釣りに用いる玉網を例に挙げて説明する。友釣りに用いる玉網は、柄部が比較的短く形成され、使用時には、竿を立てる動作によって水中から抜き上げた鮎を、囮の鮎と共に空中で受け止めることも多い。
網を形成する素材として適度の保形性のある素材を採用することが一般的である。そのため、玉網の使用姿勢に拘わらず、網材を適正な袋状に保持して、前述のように空中で魚を受け止める形態で用いる場合、枠部の開口を通過した魚を、この開口から離間した位置の網材の底部で受け止め得ると良好である。
【０００４】
特許文献２に開示される玉網は、網袋内へ取り込んだ魚が逃げにくいように、以下のような構成をなす。すなわち、網体における枠体の近傍付近で、枠体の平面形状よりも大きく外側へ膨らんだ部位を設けている。
適度の保形性を有する網材が魚の重みや動きによって多少変形しても、確実に魚の取り込めることを意図している。
【先行技術文献】
【特許文献】
【０００５】
【特許文献１】実開平６−８１２５８号公報
【特許文献２】実用新案登録第２５９８７６９号公報
【発明の概要】
【発明が解決しようとする課題】
【０００６】
鮎釣りを代表とする川釣りでは、玉網の網袋７０の一部あるいは大部分を水中に入れた状態で用いる場面も多い。
水中に入った網袋７０は、川の流れ６０を受けて変形する。川の流れ６０に対して直角に形成された網袋を形成する側面部分（図１１（ａ）参照）は、川の流れ６０を受けて角度が小さくなるように変形する（図１１（ｂ）参照）。  その結果、網袋内へ取り込んだ魚５０が逃げてしまう事態が発生していた。
【０００７】
川の流れによって変形してしまうと、特許文献２に開示されたような形状をなす玉網でも、網袋を形成する側面部分の角度が寝てしまう。そのために、網袋の側面部分が「返し」の役割を果たしにくくなり、網袋内へ取り込んだ魚が逃げてしまう事態が起きてしまう。
【０００８】
本発明が解決しようとする課題は、網部内に取り込んだ魚が水流を受けた網から逃げ出しにくい玉網を提供することにある。
【課題を解決するための手段】
【０００９】
（第一の発明）
第一の発明は、開口を有する袋状の網体(10A,10C)と、  その網体(10A,10C)の開口を保持する枠体(20)と、  釣り人が握るための取っ手(40)と、  その取っ手(40)と前記の枠体(20)とを接続する接続具(30)と、を備える玉網に係る。
前記の網体(10A,10C)は、その網体(10A,10C)の開口に対して略直角をなすように開口から連続する枠体近傍部(11)と、  その枠体近傍部(11)から開口と反対方向に向かって開口と平行な平面の面積を絞る形状をなす傾斜部(12)と、  その傾斜部(12)から開口と反対側を閉塞する底部(14)とを備える。
その底部(14)における長手方向と前記の取っ手(40)の長手方向との関係が、少なくとも直角および平行の二つのポジションとして枠体(20)へ固定可能であるように形成する。
【００１０】
（用語説明）
「底部(14)における長手方向と取っ手(40)の長手方向との関係が、少なくとも直角および平行の二つのポジションとして固定可能」とする具体的な構成としては、接続具(30)を枠体(20)の複数箇所または自在な箇所で固定できる構造、網体(10A,10C)を枠体(20)に対して移動可能とする構造、接続具(30)を枠体(20)の複数箇所に設ける構造、などがある。
【００１１】
（作用）
釣り人は、玉網における網体(10A,10C)が水流(60)を最初に受ける面が最も小さくなるように、底部(14)における長手方向と取っ手(40)の長手方向との関係のうち、二つのポジションを選択し、取っ手(40)を枠体(20)へ固定する。
水流(60)を受ける網体(10A,10C)は、その投影面積を減らすような形状をしているので、水流による網体(10A,10C)の変形、特に枠体近傍部(11)の変形を抑えることができる。そのため、網体(10A,10C)の中へ取り込んだ対象魚(50)が逃げにくい。
【００１２】
（第一の発明のバリエーション１）
第一の発明は、以下のように形成してもよい。
すなわち、前記の底部(14)およびその底部(14)付近を形成する網目の開口面積は、枠体近傍部(11)を形成する網目の開口面積よりも小さく形成する。
【００１３】
（作用）
釣り人は、底部(14)付近に確保した対象魚から釣り針を外す作業をする。この際、底部(14)および底部(14)付近を形成している編み目が小さいことで、対象魚(50)が暴れるなどして編み目へ釣り針が引っ掛かったり、絡んだりすることを抑制する。
【００１４】
（第一の発明のバリエーション２）
第一の発明は、以下のように形成しても良い。
すなわち、枠体(20)が囲う平面に対し、枠体近傍部(11)における前記平面と平行な断面を想定した場合に、その断面が前記の平面よりも大きくなるように形成することとしてもよい。
【００１５】
枠体近傍部(11)における枠体(20)よりも大きい部位、すなわち枠体(20)よりも外側へ広がった部位は、網体(10)の内部へ確保した対象魚(50)が逃げ出そうとした際の「返し」の役割を担う。この「返し」の存在によって、対象魚(50)が逃げ出しにくくなる。
【００１６】
（第一の発明のバリエーション２）
第一の発明は、枠体近傍部(11)について、底部(14)およびその底部(14)付近よりも変形しにくい素材にて形成することとしてもよい。
たとえば、枠体近傍部(11)を底部(14)およびその底部(14)付近よりも変形しにくい材質にて形成してもよいし、網体(10)全体は同一素材であるものの枠体近傍部(11)を底部(14)およびその底部(14)付近よりも太い素材にて形成することとしてもよい。
【００１７】
（作用）
枠体近傍部１１までもが水流にさらされている場合、水流を受けて網体(10C)が変形する。変形すると、網体(10C)の傾斜が小さくなって、確保した対象魚が逃げ出しやすくなる。  しかし、枠体近傍部(11)は、底部(14)およびその底部付近よりも変形しにくい素材にて形成している。そのため、枠体近傍部(11)の変形を底部(14)およびその底部付近よりも抑えることができるので、枠体近傍部１１は垂直に近い角度を保ちやすい。よって、確保した対象魚(50)が逃げ出しにくい。
【００１８】
なお、底部(14)は、幅狭形状をなすとともに、その幅狭形状の長手方向は枠体(20)がなす面と平行とならないように傾斜させて形成すれば、更に確保した対象魚(50)が逃げ出しにくく、釣り人が対象魚(50)を掴みやすくなる。
【発明の効果】
【００１９】
本発明によれば、網部内に取り込んだ魚が水流を受けた網から逃げ出しにくい玉網を提供できる。
【図面の簡単な説明】
【００２０】
【図１】第一の実施形態を上方から示す斜視図である。
【図２】枠体と接続具の関係を示す、斜視図、断面図である。
【図３】第一の実施形態を下方から示す斜視図である。
【図４】第一の実施形態を側方および上方から示す側面図および平面図である。
【図５】第二の実施形態を下方から示す斜視図である
【図６】第二の実施形態を側方および上方から示す側面図および平面図である。
【図７】第三の実施形態を上方から示す斜視図である。
【図８】第三の実施形態を上方および側方から示す側面図および平面図である。
【図９】第三の実施形態における変化を側方から示す図である。
【図１０】第二の実施形態における変化を側方から示す図である。
【図１１】従来の玉網における変化を側方から示す図である。
【図１２】第三の実施形態および従来の玉網における変化を上流側から示す図である。
【発明を実施するための形態】
【００２１】
以下、添付図面を参照して本発明に係る玉網の実施形態について説明する。ここにおいて用いる図面は、図1から図１２である。
【００２２】
図１から図４には、第一の実施形態を示している。
図１に示す玉網は、対象魚５０を鮎とし、鮎の友釣り用に用いられる玉網である。この玉網は、開口を有する袋状の網体１０Ａと、  その網体１０Ａの開口を保持する枠体２０と、  釣り人が握る取っ手４０と、  その取っ手４０と前記の枠体２０とを接続する接続具３０と、を備える。
枠体２０は、木材、プラスチックあるいは金属等の材質にて、平面形状を直径が３０〜４０センチメートル程度の円形としている。
【００２３】
取っ手４０は、木材、プラスチックあるいは金属等の材料を複合して形成しており、操作し易い長さ及び太さを持つ所要形状をなす。
枠体２０と取っ手４０とは、接続具３０を介して接続固定される。接続固定の種類は、図２を用いて後述する。
【００２４】
網体１０Ａは、可撓性のある線材、例えばナイロンモノフィラメント等の適宜の合成樹脂製の糸を編み込むことにより形成される。
網体１０Ａは、その網体１０Ａの開口に対して略直角をなすように開口から連続する枠体近傍部１１と、  その枠体近傍部１１から開口と反対方向に向かって開口と平行な平面の面積を絞る形状をなす傾斜部１２と、  その傾斜部１２から開口と反対方向に向かって傾斜部１２がなす傾斜角度よりも大きな収納部１３Ａと、  その収納部１３Ａにおける開口と反対側を閉塞する底部１４Ａとを備えている。
逆に底部１４Ａからみると、収納部１３Ａはほぼ垂直に立ち上がっており、傾斜部１２は傾斜しているものの、枠体近傍部１１は底部１４Ａに対して再び垂直となっている。
なお、傾斜部１２の傾斜角度は、４５〜８０度であり、玉網の大きさ、対象魚の種類、釣り人の熟練度などの条件によって最適値が異なる。  対象魚が鮎の場合、５５〜７０度くらいがより好ましいようである。
【００２５】
（図２）
図２に示すように、枠体２０は、接続具を介して取っ手と固定される。
図２（ａ）は、接続具３０Ａと枠体２０との関係を示す斜視図である。図２（ｂ）は、接続具３０Ａと枠体２０と取っ手４０Ａとの関係を示す垂直断面図である。
枠体２０は、図中の下方向を開口したコ字形のフレームである。その開口した部分へ網体１０の上端部分を差し込み、枠体２０に対して網体１０は吊り下げられた状態で固定されている。
【００２６】
接続具３０Ａは、枠体２０を上下方向から挟み込むとともに取っ手４０Ａと固定される。上方向から挟むための部材が上部材３１Ａであり、下方向から挟むための部材が下部材３１Ｂである。  上部材３１Ａおよび下部材３１Ｂを貫通して枠体２０へ当接する枠体固定ネジ３３と、下部材３２Ａを貫通して取っ手４０Ａにまでねじ込まれる取っ手固定ネジ３４とによって、接続具３０Ａと枠体２０と取っ手４０Ａとが固定される。
【００２７】
図２（ｃ）および（ｄ）は、別の接続具３０Ｂを用いた枠体２０の固定構造である。
枠体２０の上部をはめ込むことができる切り欠き部分を備えた上部材３１Ｂと、枠体２０の下部外側を支持する下部材３２Ｂとからなる。
枠体２０をはめ込んだ状態で、枠体２０の内側からは上部材３１Ｂを貫通して枠体２０に当接する枠体固定前ネジ３５をねじ込む。下部材３２Ｂの下側からは、下部材３２Ｂを貫通して上部材３１Ｂへ到達する枠体固定下ネジ３６をねじ込む。これによって、接続具３０Ｂと枠体２０と取っ手４０Ｂとが固定される。
【００２８】
図２（ａ）および（ｂ）に示される実施形態によれば、枠体固定ネジ３３を緩めることで、取っ手４０Ａと枠体２０との固定位置を変更することができる。
図２（ｃ）および（ｄ）に示される実施形態によれば、枠体固定前ネジ３５および枠体固定下ネジ３６を緩めることで、取っ手４０Ｂと枠体２０との固定位置を変更することができる。
取っ手４０の長手方向と底部１４Ａにおける長手方向とが直角となるのが図１（ａ）に示す状態であり、取っ手４０の長手方向と底部１４Ａにおける長手方向とが一直線上となるのが図１（ｂ）に示す状態であり、いずれが良いかは、釣り人が上記の操作をすることで決定することができる。
【００２９】
（図３）
図３は、図１に示した実施形態を下方から斜視した図である。
この図３で明らかなように、底部１４Ａは幅狭である略長方形状に形成されており、その長方形の一方の長さが他方の長さの３倍以上に設定されている。
図示は省略しているが、前記の収納部１３Ａおよび底部１４Ａを形成する網目の開口面積は、枠体近傍部１１や傾斜部１２を形成する網目の開口面積よりも小さく形成している。
なお、図２に示した接続具３０によって、取っ手４０の位置を枠体２０に対して変更できる。
【００３０】
（図４）
図４では、図１に示した実施形態を用いて、対象魚５０（鮎）を掴む様子を示している。
対象魚５０は、ほぼ垂直をなす収納部１３Ａをなす捕捉空間１５Ａへ追い込まれると、自由に動くことが困難となる。この図では図示していない釣り人は、取っ手４０を持った手と逆の手によって対象魚５０を掴む。
【００３１】
収納部１３Ａと底部１４Ａとで囲まれた空間が、捕捉した対象魚５０を釣り人が掴むための捕捉空間１５Ａとなる。  換言すれば、釣り人は、捕捉空間１５Ａを使いやすくするための、取っ手４０の位置を枠体２０に対して変更するのである。
【００３２】
釣り人は、収納部１３Ａに確保された対象魚から釣り針を外す作業をする。この際、収納部１３Ａを形成している編み目が小さいことで、対象魚が暴れるなどして網部へ釣り針が引っ掛かったり、絡んだりすることを抑制する。
枠体近傍部１１までもが水流にさらされている場合もあるが、その場合、水流を受けて網体１０Ａが変形する。変形すると、網体１０Ａの傾斜が小さくなって、確保した対象魚が逃げ出しやすくなる。  しかし、収納部１３Ａを形成している編み目は枠体近傍部１１を形成している編み目よりも小さい。そのため、枠体近傍部１１は水流の抵抗が相対的に小さく、変形も最小限に抑えることができるので、枠体近傍部１１は垂直に近い角度を保ちやすい。
【００３３】
編み目による開口の大きさを異ならせる製造方法の一例を開示する。
すなわち、網体１０Ａは、線材をほぼ均一の開口となるように編み込むが、傾斜部１２、収納部１３Ａおよび底部１４Ａを形成する金型に装着し、加熱収縮させることにより癖付けすることによって、その形状を形成する。開口側と底部１４Ａ側とでは、収縮割合を異ならせ、底部１４Ａ側において編み目の大きさ（開口面積）が小さくなるようにする。
【００３４】
（図５）
図５では、第二の実施形態を示す。
以下、図３に示した第一の実施形態との比較で説明する。
網体１０Ｂは、その網体１０Ｂの開口に対して略直角をなすように開口から連続する枠体近傍部１１と、  その枠体近傍部１１から開口と反対方向に向かって開口と平行な平面の面積を絞る形状をなす傾斜部１２は、図３に示す網体１０Ａと同様である。
【００３５】
図３に示す網体１０Ａと異なるのは、以下の点である。
すなわち、前記の傾斜部１２から開口と反対方向に向かって傾斜部(12)がなす傾斜角度よりも大きな収納部１３Ｂと、  その収納部１３Ｂにおける開口と反対側を閉塞する底部１４Ｂとを備える
そして、その底部１４Ｂは、幅狭の線対称の台形をなすとともに、その台形の長手方向は枠体２０がなす面と平行とならないように傾斜させて形成する。
なお、収納部１３Ｂおよび底部１４Ｂを形成する網目の開口面積は、枠体近傍部１１や傾斜部１２を形成する網目の開口面積よりも小さく形成している。これは、図３に示した第一の実施形態と同様である。
【００３６】
（図６）
図６（ａ）は、前述した底部１４Ｂたる「幅狭の線対称の台形」がなす長手方向が、枠体２０のなす面と角度αをなすことを示している。
図６（ｂ）は、前述した底部１４Ｂ「幅狭の線対称の台形」における台形が、その短辺と長辺の差によって形成される角度βをなすことを示している。
収納部１３Ｂと底部１４Ｂとで囲まれた空間が、捕捉した対象魚５０を釣り人が掴むための捕捉空間１５Ｂとなる。
【００３７】
枠体２０が水平をなしている場合、底部１４Ｂは角度αをなすが、収納部１３Ｂはほぼ垂直をなし、傾斜部１２が傾斜角をなすものの、枠体近傍部１１は再びほぼ垂直をなす。
なお、角度αは、５〜３０度の間で選択されるが、この角度もまた、玉網の大きさ、対象魚の種類、釣り人の熟練度などの条件によって最適値が異なる。  対象魚が鮎の場合、１０〜２０度くらいがより好ましいようである。
【００３８】
収納部１３Ｂと底部１４Ｂとで囲まれた空間が、捕捉した対象魚５０を釣り人が掴むための捕捉空間１５Ｂとなる。この捕捉空間１５Ｂは、その深さが深い方（且つ幅広の方）を対象魚５０の頭側となるようにすることが一般的には使いやすいようである。捕捉空間１５Ｂは、対象魚５０が泳ぐ力を最も発揮する尾びれ側が狭くなっているため、対象魚５０の動きを規制しているからである。
【００３９】
底部１４Ｂが幅狭形状をなしており、収納部１３Ｂに確保された対象魚５０は、その動きが規制される。枠体(20)を水平とした場合、底部(14B)はやや傾斜する。釣り人は、この傾斜を使えば対象魚を掴みやすい。
なお、底部１４Ｂが角度αにて対象魚５０の頭を下げるように傾斜しているため、対象魚５０は、枠体２０の外へ逃げることが第一の実施形態よりも更に難しくなっている。魚の掴み易さが向上し、釣り人への負担を軽減し、競技でのタイム短縮にも寄与する。
鮎釣りの場合、川の流れや深さに応じて、釣り人が捕捉空間１５Ｂを使いやすくするための、取っ手４０の位置を枠体２０に対して変更する（図６（ｂ）参照）。
川の流れ方向に対して、釣り人はどのような向きを選択するか、動きやすさや色々な好みがあるので、それに対応できる。
ただし、初期の設定、あるいは枠体２０に対して取っ手４０を動かせない玉網においては、図５および図６（ｂ）における実線表示をしている角度を標準としている。
【００４０】
（図７）
図７に示すのは、第三の実施形態である。
この実施形態に係る網体１０Ｃは、その網体１０Ｃの開口に対して略直角をなすように開口から連続する枠体近傍部１１と、  その枠体近傍部１１から開口と反対方向に向かって開口と平行な平面の面積を絞る形状をなす傾斜部１２と、  その傾斜部１２から開口と反対側を閉塞する底部１４とを備えている。
【００４１】
この図７では図示を省略しているが、底部１４における長手方向と取っ手４０の長手方向との関係が、少なくとも直角および平行の二つのポジションとして枠体２０へ固定可能であるように形成している。そして、この図７では、底部１４における長手方向と取っ手４９の長手方向とが直角をなすように、取っ手４０を枠体２０へ固定している。そして、川の流れと底部１４における長手方向とが一致するようにして用いる。
【００４２】
（図８）
釣り上げた対象魚５０を網体１０Ｃの内部へ確保すると、川の流れ６０に対しては、図８に示すようなポジションとなる図８に示すように対象魚５０は上流に向かって頭を向ける性質がある。したがって、底部１４における長手方向と対象魚５０の向きとが一致し、対象魚５０の収まりが良くなる。
【００４３】
（図９）
図９に示すように、枠体２０を水平にした状態で網体１０Ｃを高さ寸法の半分から下部分を水面６１から下となるように漬けているとする。漬けた瞬間あるいは川の流れが止まった瞬間を示したのが図９（ａ）であり、水流６０を受けて網体１０Ｃが変形した状態を示すのが図９（ｂ）である。
実際の釣りの場面では、枠体２０を水平にするとは限らないが、確保した対象魚５０がどの方向からも逃げにくいようにする、ということを前提に水平にしているとする。
【００４４】
水流６０を受けることで、図９（ｂ）のように網体１０Ｃは変形する。傾斜部１２の角度が浅くなるのである。  この角度が浅くなると、網体１０Ｃの内部へ確保した対象魚５０が逃げ出しやすくなる。
釣り人は、玉網における網体１０Ｃが水流６０を最初に受ける面が最も小さくなるように、水流６０の方向、底部１４における長手方向、および取っ手４０の長手方向を考慮して、取っ手４０を枠体２０へ固定する。固定手段は、例えば図２に示した手段のいずれかである。
【００４５】
水流６０を受ける網体１０Ｃは、その投影面積を減らすような形状をしているので、水流による網体１０Ｃの変形、特に枠体近傍部１１の変形を抑える（傾斜部１２の角度が浅くなることを抑制する）ことができる。そのため、網体１０Ｃの中へ取り込んだ対象魚５０が逃げにくい。
【００４６】
図示を省略するが、枠体近傍部１１へ枠体２０よりも外側へ広がった部位（返し）を備えることしてもよい。この「返し」を存在させた場合、対象魚５０が、更に逃げ出しにくくなる。
【００４７】
また、図示を省略するが、前記の底部１４およびその底部１４付近を形成する網目の開口面積は、枠体近傍部１１や傾斜部１２の枠体近傍部１１寄りを形成する網目の開口面積よりも小さく形成すると、実用上好ましい。対象魚５０が暴れるなどして編み目へ釣り針が引っ掛かったり、絡んだりすることを抑制できるからである。
【００４８】
（図１０）
図１０は、第二の実施形態に係る玉網について、枠体２０を水平にした状態で網体１０Ｂを高さ寸法の半分から下部分を水面６１から下となるように漬けた場合を示している。
この釣り人は、川の流れ６０の方向と自分が持つ取っ手４０の軸方向とが直角をなすように、川の中に立つことを想定して、枠体２０の適切な部位へ接続具３０を固定している。
【００４９】
この場合の網体１０Ｂは、図４を参照すると明らかであるが、各部位と川の流れ方向との関係が以下のようになっている。
すなわち、枠体近傍部１１から開口と反対方向に向かって開口と平行な平面の面積を絞る形状をなす傾斜部１２は、川の流れ６０に垂直な断面を想定した場合、その断面が川底方向へ近づくにつれて小さくなる。
【００５０】
図１０（ｂ）および（ｃ）に示すように、枠体２０を水平にした状態で網体１０Ｂを高さ寸法の半分から下部分を水面６１から下となるように漬けている。漬けた瞬間あるいは川の流れが止まった瞬間を示したのが図１０（ｂ）であり、水流６０を受けて網体１０Ｃが変形した状態を示すのが図１０（ｃ）である。
【００５１】
前述した図９や図１０に示した網体１０Ｃ、１０Ｂが、従来の玉網における網体（図１１における網袋７０）と比較してどのような違いがあるかを、図１１および図１２を用いて説明する。
ただし、網体１０Ｂについては、図１２には図示していない。
【００５２】
図１１および図１２（ｂ）に示すのは、枠体２０と平行な断面を想定した場合に、その断面に変化がないような網袋７０を採用した、従来の玉網である。
このような従来の玉網の網袋７０を、図９（ａ）や図１０（ｂ）と同じように、高さ半分ほどを水面６１の下に浸かるようにしたのが図１１（ａ）である。
【００５３】
図１２（ｂ）に示すように、網袋７０が水流６０を受けると、受ける面積が網体１０Ｃに比べて大きい。そのため、変形前後における網底部の高低差Ｔ２は、網体１０Ｃにおける高低差Ｔ１よりも大きくなる。
Ｔ２が大きくなるということは、確保した対象魚５０の高さ位置が枠体２０へ近づくこととなり、対象魚５０が逃げ出しやすくなる要因となる、ということである。
【００５４】
換言すれば、従来の玉網に比べて、水流６０を受ける面積を減らすような網体１０Ｃ、１０Ｂは、確保した対象魚５０を逃げ出しにくくしている、という効果を奏する。
ただし、水流６０の方向と取っ手４０の長手方向とがどのような角度をなす場合に水流６０を受ける面積を減らすことができるか、については、釣り人が接続具３０を用いて、枠体２０の適切な位置に取っ手４０を固定することが前提である。
【産業上の利用可能性】
【００５５】
本発明は、釣り具の製造業、ツールの製造業、アウトドアスポーツのインストラクター事業などにおいて、利用可能性を有する。
【符号の説明】
【００５６】
１０，１０Ａ，１０Ｂ，１０Ｃ；  網体
１１；  枠体近傍部                  １２；  傾斜部
１３Ａ，１３Ｂ；  収納部
１４Ａ，１４Ｂ；  底部
１５Ａ，１５Ｂ；  捕捉空間
２０；  枠体
３０，３０Ａ，３０Ｂ；  接続具
３１Ａ，３１Ｂ；  上部材
３２Ａ，３２Ｂ；  下部材
３３；  枠体固定ネジ                ３４；  取っ手固定ネジ
３５；  枠体固定前ネジ              ３６；  枠体固定下ネジ
４０；  取っ手
５０；  対象魚（鮎）
６０；  水流（川の流れ）            ６１；  水面
７０；  網袋
【図１】
2015065847.tif 000003
【図２】
2015065847.tif 000004
【図３】
2015065847.tif 000005
【図４】
2015065847.tif 000006
【図５】
2015065847.tif 000007
【図６】
2015065847.tif 000008
【図７】
2015065847.tif 000009
【図８】
2015065847.tif 000010
【図９】
2015065847.tif 000011
【図１０】
2015065847.tif 000012
【図１１】
2015065847.tif 000013
【図１２】
2015065847.tif 000014